(57)【特許請求の範囲】
【請求項１】
中継器によって実行される、データを送受信する方法であって、
前記中継器が基地局からダウンリンクデータを受信するステップと、
前記ダウンリンクデータを受信したとき、前記中継器から前記基地局へ、アップリンクサブフレーム内で肯定応答／否定応答（ＡＣＫ／ＮＡＣＫ）を送信するステップと、を有し、
前記アップリンクサブフレームは、前記ダウンリンクデータが受信されたサブフレームに対して、ｋ個のサブフレームだけ離れており、
前記ｋは、前記中継器に割り当てられたハイブリッド自動再送要求（ＨＡＲＱ）手続に従う前記のダウンリンクサブフレームのインデクス番号であり、
前記ｋの値は、前記中継器に割り当てられた前記ＨＡＲＱ手続によって変化し、
前記ｋの値は次の表によって規定される、方法。
【表１】
0005567601.tif 000007
【請求項２】
前記アップリンクサブフレームは、前記ダウンリンクデータが受信されたサブフレームから４番目以降のサブフレームのうち、１番目のアップリンクサブフレームである、請求項１に記載の方法。
【請求項３】
前記サブフレームは前記中継器から前記基地局へのアップリンク用に割り当てられる、請求項１に記載の方法。
【請求項４】
前記中継器が、前記ダウンリンクデータを受信したとき、該受信が成功したかどうかを判定するステップと、
前記中継器が、前記ダウンリンクデータを受信したとき、前記ＡＣＫ／ＮＡＣＫを送信するサブフレームを判定するステップと、
のうち少なくとも一つを更に有する請求項１に記載の方法。
【請求項５】
前記中継器が前記基地局から中継物理ダウンリンク制御チャネル（Ｒ−ＰＤＣＣＨ）を受信するステップを更に有する請求項１に記載の方法。
【請求項６】
前記ｋはｎの値によって変化し、
前記ｎは前記ＨＡＲＱ手続に従うアップリンクサブフレームのインデクス番号である、請求項１に記載の方法。
【請求項７】
データを送受信する中継器であって、
基地局からダウンリンクデータを受信する送受信器と、
前記送受信器と協働するプロセッサであって、
前記ダウンリンクデータを受信したとき、該受信が成功したかどうかを判定し、
前記ダウンリンクデータを受信したとき、前記送受信器が前記基地局へ、アップリンクサブフレーム内で肯定応答／否定応答（ＡＣＫ／ＮＡＣＫ）を送信するように制御するべく構成されたプロセッサと、を備え、
前記アップリンクサブフレームは、前記ダウンリンクデータが受信されたサブフレームに対してｋ個のサブフレームだけ離れており、
前記ｋは、前記中継器に割り当てられたハイブリッド自動再送要求（ＨＡＲＱ）手続に従う前記のダウンリンクサブフレームのインデクス番号であり、
前記ｋの値は、前記中継器に割り当てられた前記ＨＡＲＱ手続によって変化し、
前記ｋの値は次の表によって規定される、中継器。
【表２】
0005567601.tif 000008
【請求項８】
前記アップリンクサブフレームは、前記ダウンリンクデータが受信されたサブフレームに続くサブフレームであって、前記ダウンリンクデータが受信されたサブフレームから４番目以降のサブフレームのうち、１番目のアップリンクサブフレームである、請求項７に記載の中継器。
【請求項９】
前記ｋはｎの値によって変化し、
前記ｎは前記ＨＡＲＱ手続に従うアップリンクサブフレームのインデクス番号である、請求項７に記載の中継器。
【発明の詳細な説明】
【技術分野】
【０００１】
本発明は、無線通信に関し、より詳細には、中継器と基地局との間のデータ送受信方法に関する。
【背景技術】
【０００２】
無線通信システムは、大きく周波数分割２重通信（ＦＤＤ）方式と時分割２重通信（ＴＤＤ）方式に分けられる。
【０００３】
ＦＤＤ方式によれば、アップリンク送信とダウンリンク送信とが異なる周波数帯域を占有して行われる。ＴＤＤ方式によれば、アップリンク送信とダウンリンク送信とが同一の周波数帯域を占有して異なる時間に行われる。ＴＤＤ方式のチャネル応答は実質的に相互的（reciprocal）である。これは、与えられた周波数領域でダウンリンクチャネル応答とアップリンクチャネル応答とがほぼ同じであるということである。よって、ＴＤＤベースの無線通信システムにおいては、ダウンリンクチャネル応答がアップリンクチャネル応答から得られるという利点がある。
【０００４】
ＴＤＤ方式は、全周波数帯域においてアップリンク送信とダウンリンク送信とが時分割されるので、基地局（ＢＳ）によるダウンリンク送信と端末（移動機（ＭＳ））によるアップリンク送信とを同時に行うことができない。アップリンク送信とダウンリンク送信とがサブフレーム単位で区分されるＴＤＤシステムにおいては、アップリンク送信とダウンリンク送信とが異なるサブフレームで行われる。
【０００５】
無線通信システムは、その周囲の所定領域であるセルにサービスを提供する基地局（ＢＳ）を含む。通常、端末又は移動機（ＭＳ）は、ＢＳのサービスカバレッジ内にあるとき、当該ＢＳと通信を行うことができる。しかしながら、ビルなどの障害物が存在する場合又はＭＳがセル境界領域に位置する場合、ＭＳはＢＳとの通信を行うことができないか、通信品質が良くないことがある。
【０００６】
ＢＳのサービスカバレッジを拡大するために様々な方法が提示された。
【０００７】
その１つの方法が、無線通信システムに中継局（Ｒｅｌａｙ  Ｓｔａｔｉｏｎ，ＲＳ）を導入することである。ＲＳは、ＢＳとＭＳとの間（又は、２つのＭＳの間若しくはＭＳ／ＢＳと他のＲＳとの間）の通信において中継者として動作する。すなわち、ＲＳは、単一の直接リンクではなく、２ホップリンク又はマルチホップリンクを介して、遠く離れているＢＳとＭＳとの間でデータ伝送が行われるようにする。このようなＲＳは、ＢＳのサービスカバレッジを拡大することができ、セル境界性能を向上させることができる。さらに、ＲＳは、セルスループットを向上させることができる。
【０００８】
ＲＳは、初期にモバイルワイマックス（Ｍｏｂｉｌｅ  ＷｉＭＡＸ）（例えば、ＩＥＥＥ８０２．１６ｊ／ｍ）などの時分割２重通信（ＴＤＤ）無線通信システムにおいて発展した。
【０００９】
近年、周波数分割２重通信（ＦＤＤ）無線通信システムにおいても、システムの性能を向上させるために、中継器（Relay）の導入を研究し始めた。ＦＤＤ無線通信システムとしては、例えばＦＤＤベースの第３世代パートナシッププロジェクト長期進化（３ＧＰＰ ＬＴＥ）システム、ＦＤＤをサポートするモバイルワイマックスシステムなどがある。
【００１０】
図１は中継器を用いる無線通信システムを示す図である。
【００１１】
図示のように、無線通信システムは、少なくとも１つの基地局（ＢＳ）２１、２２、２３（まとめて「２０」という）を含む。
【００１２】
各基地局２１、２２、２３は、特定の地理的領域（一般にセルという）２１ａ、２２ａ、２３ａに通信サービスを提供する。セルは、更に複数の領域（セクタという）に分けられる。１つの基地局には１つ以上のセルが存在する。
【００１３】
一般に、基地局２１、２２、２３とは、端末１１、１２、１３（まとめて「１０」という）と通信を行う固定局（fixed station）をいい、進化ノードＢ（ｅＮＢ（evolved-NodeB））、基地局装置（ＢＴＳ）、アクセスポイント、接続網（ＡＮ）などの他の用語で呼ばれることもある。
【００１４】
以下、ダウンリンク（ＤＬ）とは、基地局から端末への通信を意味し、アップリンク（ＵＬ）とは、端末から基地局への通信を意味する。ダウンリンクにおいて、送信器は基地局の一部分であり、受信器は端末の一部分である。アップリンクにおいて、送信器は端末の一部分であり、受信器は基地局の一部分である。
【００１５】
アップリンク送信において、端末１１は、ソース局（Source Station）として動作し、目的局（Destination Station）に該当する基地局２１にデータを送信する。ダウンリンク送信において、基地局２１は、ソース局として動作し、目的局に該当する端末１１にデータを送信する。
【００１６】
図示のように、無線通信システムは、１つ以上の中継器３１、３２、３３（まとめて「３０」という）を含む。
【００１７】
中継器３１、３２、３３は、図示のように、セルの外郭地域や不感地域に位置し、基地局と端末との間のデータを中継する。ここで、基地局は、中継局と端末間の接続性（connectivity）、管理、制御、リソース割り当てなどの機能を実行することができる。
【００１８】
図２を参照すると、基地局は中継器を介して端末と通信を行う。
【００１９】
図示のように、中継器３１は、前記アップリンク及び前記ダウンリンクを中継する。
【００２０】
アップリンク送信において、ソース局、すなわち端末１１は、アップリンクデータを目的局、すなわち基地局２１と中継器３１に送信する。すると、中継器３１は、端末１１のアップリンクデータを基地局２１に中継する。
【００２１】
ダウンリンク送信において、ソース局、すなわち基地局２１は、ダウンリンクデータを目的局に該当する端末１１と中継器３１に送信する。すると、中継器３１は、ソース局、すなわち基地局２１からのデータを目的局、すなわち端末１１に中継する。
【００２２】
図示のように、中継器は１つ又は複数存在する。すなわち、基地局２１と端末１２との間には、複数の中継器３２、３３が存在する。
【００２３】
中継局では、増幅及び転送（ＡＦ）又は復号及び転送（ＤＦ）など、いかなる中継方式を用いてもよい。
【００２４】
一方、基地局２１と中継器３１との間で伝送されるデータをバックホール（backhaul）データという。バックホールデータは、端末によるデータでもよく、基地局２１と中継器３１との間の制御データでもよい。
【００２５】
端末が前記バックホールデータを受信しないようにするために、バックホールデータが送信されるサブフレームを端末がリッスンしないようにすることができる。
【００２６】
このように、端末がバックホールデータをリッスンしないようにするために、３ＧＰＰにおけるマルチメディアブロードキャスト／マルチキャストサービス（ＭＢＭＳ）の機能が利用される。ＭＢＭＳとは、ダウンリンク専用のＭＢＭＳベアラサービスを利用して、複数の端末にストリーミング、バックグラウンドブロードキャストサービス、又はマルチキャストサービスを提供することをいう。ここで、ＭＢＭＳサービスは、同一のサービスを複数のセルに提供するマルチセルサービスと、１つのセルにのみ提供するシングルセルサービスに分けられる。ここで、端末がマルチセルサービスを受信する場合、ＭＢＭＳ単一周波数網（ＭＢＳＦＮ）方式で複数のセルから送信される同一のマルチセルサービスを組み合わせて受信することができる。
【００２７】
一方、ＭＢＳＦＮをサポートしないレガシー端末は、ＭＢＳＦＮに割り当てられたサブフレームで基準信号の測定を行わない。
【００２８】
このような点を利用して、中継器３０と基地局２０との間でバックホールデータが送受信されるサブフレームをＭＢＳＦＮサブフレームに設定すると、端末は、ＭＢＳＦＮに割り当てられたサブフレームで基準信号の測定を行わない。
【００２９】
図３はハイブリッド自動再送要求（ＨＡＲＱ）動作を示す。
【００３０】
図３に示すように、従来技術では、効率的なデータ送信のためにＨＡＲＱ動作を行わせており、そのＨＡＲＱ動作過程の詳細は次の通りである。
【００３１】
１）まず、基地局２０は、データチャネルで第１データを中継器３０に送信する。
【００３２】
２）中継器３０は、第１データを受信すると、第１データの復号を試みる。中継器３０は、復号の結果に基づいてＨＡＲＱフィードバックを基地局２０に送信する。すなわち、中継器３０は、復号に成功すると肯定応答（ＡＣＫ）信号を、復号に失敗すると否定応答（ＮＡＣＫ）信号を、基地局２０に送信する。ここで、ＡＣＫ／ＮＡＣＫ信号の送信は、データの受信時点から所定間隔後に行われる。
【００３３】
３）基地局２０は、ＡＣＫ信号を受信した場合、中継器３０へのデータ送信に成功したことを感知し、ＡＣＫ信号の受信時点から所定間隔後に、後続する第２データを送信する。これに対して、ＮＡＣＫ信号を受信した場合、基地局２０は、中継器３０へのデータ送信に失敗したことを感知し、ＮＡＣＫ信号の受信時点から所定間隔後に、同一の第１データを同一の形式又は新しい形式で再送する。
【００３４】
４）中継器３０は、ＮＡＣＫ信号の送信時点から所定間隔後に、第１データの受信を試みる。
【００３５】
５）中継器３０は、再送された前記第１データを受信すると、復号を試み、第１データの受信時点から所定間隔後に、復号に成功した場合はＡＣＫ信号を、復号に失敗した場合はＮＡＣＫ信号を、基地局２０に送信する。中継器３０は、データの復号に成功するまで、ＮＡＣＫ信号を送信して再送を受ける過程を繰り返す。
【００３６】
以上から分かるように、中継器３０から基地局２０へのアップリンクデータ送信においては、同期ＨＡＲＱが用いられる。
【００３７】
ここで、同期ＨＡＲＱとは、各データの送信間の時間間隔が同一である場合を意味する。
【００３８】
すなわち、中継器３０が特定の送信を行った後に再送を行わなければならない場合、再送は以前の送信から所定時間後に発生する。
【００３９】
例えば、現在の３ＧＰＰ進化はん用地上無線接続（Ｅ−ＵＴＲＡ）システムは、４ｍｓ間隔でデータとＡＣＫ／ＮＡＣＫがそれぞれ送信される同期ＨＡＲＱを用いる。また、３ＧＰＰ Ｅ−ＵＴＲＡシステムは、アップリンクだけでなく、基地局２０から中継器３０へのダウンリンクデータ送信においても、同期ＨＡＲＱを用いる。
【００４０】
より具体的には、３ＧＰＰ Ｅ−ＵＴＲＡシステムにおいて、フレーム内のｎ番目のサブフレームで送信されたデータパケットに対するＡＣＫ／ＮＡＣＫ信号は、ｎ＋４番目のサブフレームで送信される。ここで、サブフレームが１ｍｓ間隔であるので、４ｍｓ間隔で送信されるということができる。一方、ＮＡＣＫ信号をｎ＋４番目のフレームで受信すると、送信器は、データの再送をｎ＋８番目のフレームで行う。データと再送データとは８ｍｓ間隔であるので、８ｍｓ周期を有するＨＡＲＱ過程であるということもできる。
【００４１】
一方、前述したように、中継器３０と基地局２０との間でバックホールデータが送受信されるサブフレームをＭＢＳＦＮサブフレームに設定すると、中継器に接続された端末は、ＭＢＳＦＮに割り当てられたサブフレームを受信せず、当該サブフレームで基準信号の測定を行わない。しかしながら、端末は、ＭＢＳＦＮに割り当てられていないサブフレームでは、中継器から送信される信号を受信しなければならない。
【００４２】
図４はアップリンクで同期ＨＡＲＱを用いる際の問題を示す。
【００４３】
図４を参照すると、フレームは番号０〜９のサブフレームを含む。上方のフレームは、基地局２０からのダウンリンク（ＤＬ）と中継器から端末へのダウンリンクに該当するフレームとを示し、下方のフレームは、端末によるアップリンク（ＵＬ）と中継器３０によるアップリンクに該当するフレームとを示す。各サブフレームは１ｍｓの長さを有する。アップリンクにおいて網掛けのサブフレームは、ＭＢＳＦＮに割り当てられていないサブフレームであり、アップリンクにおいて網掛けでないサブフレームは、ＭＢＳＦＮに設定することのできるサブフレームである。
【００４４】
前述したように、アップリンクにおいてバックホールデータのためにＭＢＳＦＮに設定されるサブフレームは、端末が当該サブフレームを受信せず、当該サブフレーム内の基準信号を測定しない。
【００４５】
一方、同期信号やページングメッセージのように制御情報は重要情報であるので、これらの情報が含まれて送信されるサブフレームはＭＢＳＦＮサブフレームに設定されない。例えば、３ＧＰＰ進化はん用地上無線接続網（Ｅ−ＵＴＲＡＮ）システムのＦＤＤモードにおいて、番号０のサブフレーム、番号４のサブフレーム、番号５のサブフレーム、番号９のサブフレームは、このような重要情報の送信に用いられるので、ＭＢＳＦＮサブフレームに設定されない。
【００４６】
よって、中継器３０は、重要情報をサブフレームで端末に中継しなければならず、ＭＢＳＦＮサブフレームに設定しない。
【００４７】
このような場合、重要情報が送信されるサブフレームと、バックホールデータに対するＨＡＲＱ動作のためのサブフレームとが衝突する。
【００４８】
例えば、図４のように前記バックホールデータに対して８ｍｓ周期を有するＨＡＲＱ動作が行われるとする。
【００４９】
図４に示すように、中継器３０は、バックホールデータをダウンリンクの番号０のフレームの番号１のサブフレーム（すなわち、ｎは１）で受信する。そして、中継器３０は、バックホールデータに対するＮＡＣＫ信号をアップリンクの番号０のフレームの番号５のサブフレーム（すなわち、ｎ＋４）で送信する。
【００５０】
基地局２０は、ＮＡＣＫ信号を受信すると、バックホールデータをダウンリンクの番号０のフレームの番号９のサブフレーム（すなわち、ｎ＋８）で再送する。
【００５１】
ところが、ダウンリンクの番号９のサブフレームは、中継器３０が重要情報を端末に送信する際に用いなければならない。
【００５２】
よって、中継器３０は、番号０のフレームの番号９のサブフレームで、重要情報を送信すると共に基地局２０からのバックホールデータを受信しなければならないので衝突する。しかし、このようにダウンリンクのサブフレームで受信と送信を同時に行うことは、物理的に不可能である。
【００５３】
同様に、ダウンリンクの番号２のフレームの番号５のサブフレームも、受信と送信とが同時に行われなければならないので衝突する。
【発明の概要】
【発明が解決しようとする課題】
【００５４】
そこで、本発明は、上記問題を解決することを目的とする。
【００５５】
具体的には、本発明の目的は、基地局と中継器との間の新しいＨＡＲＱ方式を提案することにある。
【課題を解決するための手段】
【００５６】
上記目的を達成するために、本発明は、中継器のデータ送受信方法を提供する。前記データ送受信方法は、前記中継器が基地局からダウンリンクのｎ番目のサブフレームでデータを受信する段階と、前記データを受信した後、送信するデータがある場合、前記データを送信するアップリンクのサブフレームの位置を決定する段階であって、前記決定されるサブフレームがｎ＋ｋ番目のサブフレームであり、前記ｋが前記ｎの値と予め設定されたＨＡＲＱに関する情報に基づいて決定される、段階と、前記アップリンクのｎ＋ｋ番目のサブフレームで前記データを送信する段階とを含んでもよい。
【００５７】
前記ＨＡＲＱに関する情報が、ＨＡＲＱプロセスが偶数番号のサブフレームの位置で動作するか、奇数番号のサブフレームの位置で動作するかを示すようにしてもよい。
【００５８】
前記データ送受信方法は、前記基地局から前記ＨＡＲＱに関する情報を含む制御信号を受信する段階を更に含んでもよい。
【００５９】
前記送信されるデータが、前記受信したデータに対するＡＣＫ又はＮＡＣＫを含んでもよい。前記受信したデータが、アップリンクリソース割り当て要求の許容（ｇｒａｎｔ）情報を含んでもよい。前記ｎ番目のサブフレームが、ＭＢＳＦＮのために割り当てられたサブフレームでもよい。
【００６０】
一方、上記目的を達成するために、本発明は、基地局のデータ送受信方法を提供する。前記データ送受信方法は、前記基地局が中継器とのデータに対するＨＡＲＱプロセスを決定する段階と、前記基地局が前記中継器にダウンリンクのｎ番目のサブフレームでデータを送信する段階と、前記基地局が、前記送信したデータに対応する前記中継器からのデータを受信するために、アップリンクのｎ＋ｋ番目のサブフレームをリッスンする段階であって、前記ｋが前記ｎの値と前記決定されたＨＡＲＱプロセスに基づいて決定される、段階と、前記アップリンクのｎ＋ｋ番目のサブフレームでデータを受信したか否かによって、前記送信したデータを再送するか、又は後続するデータを送信する段階とを含んでもよい。
【００６１】
前記データ送受信方法は、前記基地局が前記決定されたＨＡＲＱプロセスに関する情報を前記中継器に送信する段階を更に含んでもよい。
【００６２】
一方、上記目的を達成するために、本発明は、基地局のデータ送受信方法を提供する。前記データ送受信方法は、前記基地局が中継器にダウンリンクのｎ番目のサブフレームでデータを送信する段階と、前記ダウンリンクのｎ＋４番目のサブフレームがシステム情報の送信のためのものであるか否かを判断する段階と、前記ダウンリンクのｎ＋４番目のサブフレームがシステム情報の送信のためのものである場合、アップリンクのｎ＋４番目のサブフレームの位置から他のサブフレームに移動（シフト）し、前記中継器からのデータ受信をモニタする段階と、前記アップリンクの他のサブフレームで前記中継器から受信されるデータによって、前記送信したデータを再送するか、又は後続する次のデータを前記中継器に送信する段階とを含んでもよい。
【００６３】
前記移動する他のサブフレームは、ｎ＋３番目のサブフレームでもよく、ｎ＋５番目のサブフレームでもよい。
【発明の効果】
【００６４】
本発明は、基地局と中継器との間の新しいＨＡＲＱ方式を提案することによって、前述した従来技術の問題を解決する。
【００６５】
本発明は、基地局と中継器との間の新しいＨＡＲＱ方式を提案することによって、データを効率的に送受信できるようにする。
【図面の簡単な説明】
【００６６】
【図１】中継器を用いる無線通信システムを示す図である。
【図２】基地局が中継器を介して端末と通信を行うことを示す図である。
【図３】中継器の導入による干渉の影響を示す図である。
【図４】中継器の導入による干渉の影響を示す図である。
【図５】本発明の第１実施形態を示す図である。
【図６】第１実施形態によって用いることのできるすべてのＨＡＲＱプロセスを示す図である。
【図７】本発明の第１実施形態によって衝突することなく用いることのできるＨＡＲＱプロセスを示す図である。
【図８】本発明の第２実施形態を示す図である。
【図９】第２実施形態によって用いることのできるすべてのＨＡＲＱプロセスを示す図である。
【図１０】本発明の第３実施形態を示す図である。
【図１１】第３実施形態によって用いることのできるすべてのＨＡＲＱプロセスを示す図である。
【図１２】本発明の第４実施形態によって用いることのできるすべてのＨＡＲＱプロセスを示す図である。
【図１３】本発明の第４実施形態によって衝突することなく用いることのできるＨＡＲＱプロセスを示す図である。
【図１４】本発明の第５実施形態によって衝突することなく用いることのできるＨＡＲＱプロセスを示す図である。
【図１５】本発明の第６実施形態によって衝突することなく用いることのできるＨＡＲＱプロセスを示す図である。
【図１６】本発明の第７実施形態によって衝突することなく用いることのできるＨＡＲＱプロセスを示す図である。
【発明を実施するための形態】
【００６７】
本明細書で使用される技術用語は、単に特定の実施形態を説明するために使用されたものであり、本発明を限定するものではない。また、本明細書で使用される技術用語は、本明細書において特に断らない限り、本発明の属する技術の分野における通常の知識を有する者に一般的に理解される意味で解釈されるべきであり、非常に包括的な意味で解釈されたり、非常に狭い意味で解釈されたりしてはならない。さらに、本明細書で使用される技術用語が本発明の思想を正確に表現できない間違った技術用語である場合は、当業者が正しく理解できる技術用語で代替して理解すべきである。さらに、本発明で使用される一般的な用語は、辞書の定義に従って、又は前後の文脈によって解釈されなければならず、非常に狭い意味で解釈されてはならない。
【００６８】
そして、本明細書で使用される単数の表現は、特に断らない限り、複数の表現を含む。本出願において、「構成される」又は「含む」などの用語は、明細書に記載された様々な構成要素又は段階のすべてを必ず含むものと解釈されてはならず、そのうち、一部の構成要素又は段階を含まないこともあり、追加の構成要素又は段階を更に含むこともあるものと解釈されるべきである。
【００６９】
また、本明細書で使用される第１、第２などのように序数を含む用語は様々な構成要素を説明するために使用されるが、前記構成要素は前記用語によって限定されるものではない。前記用語は１つの構成要素を他の構成要素と区別する目的でのみ使用される。例えば、本発明の権利範囲から外れない限り、第１構成要素は第２構成要素と命名してもよく、同様に、第２構成要素は第１構成要素と命名してもよい。
【００７０】
ある構成要素が他の構成要素に「連結」又は「接続」されていると言及された場合は、前記他の構成要素に直接的に連結又は接続されていることもあり、中間に更に他の構成要素が存在することもある。それに対して、ある構成要素が他の構成要素に「直接連結」又は「直接接続」されていると言及された場合は、中間に更に他の構成要素が存在しないと理解すべきである。
【００７１】
以下、添付図面を参照して本発明の好ましい実施形態を詳細に説明するが、図面番号に関係なく同一又は類似の構成要素には同一の符号を付して重複する説明は省略する。また、本発明を説明するにあたって、関連する公知技術についての具体的な説明が本発明の要旨を不明にすると判断される場合は、その詳細な説明を省略する。なお、添付図面は本発明の思想を容易に理解できるようにするためのものにすぎず、添付図面によって本発明の思想が制限されるように解釈されてはならないことに留意すべきである。本発明の思想は、添付図面に加えて、すべての変更、均等物や代替物にまで拡張されるものと解釈されるべきである。
【００７２】
以下、端末という用語が使用されるが、端末は、ユーザ装置（ＵＥ）、移動装置（ＭＥ）、移動機（ＭＳ）、ユーザ端末（ＵＴ）、加入者局（ＳＳ）、無線機器、携帯機器、接続端末（ＡＴ）とも呼ばれる。また、端末は、携帯電話、ＰＤＡ、スマートフォン、無線モデム、ノートブックコンピュータなどのように通信機能を備えた携帯可能な機器でもよく、ＰＣ、車両搭載装置などのように携帯不可能な機器でもよい。
【００７３】
そして、図面に示す発明は、時分割多元接続（ＴＤＭＡ）、符号分割多元接続（ＣＤＭＡ）、ＣＤＭＡ２０００、広帯域ＣＤＭＡ（ＷＣＤＭＡ）、直交周波数分割多元接続（ＯＦＤＭＡ）などによって実現される。
【００７４】
前記ＴＤＭＡは、世界移動体通信システム（ＧＳＭ）／一般パケット無線サービス（ＧＰＲＳ）／ＧＳＭ進化用強化データ速度（ＥＤＧＥ）などの無線技術で実現される。ＣＤＭＡ２０００は、ＣＤＭＡベースの無線技術である。ＷＣＤＭＡは、３ＧＰＰ標準化機構によるＵＴＲＡＮなどの無線技術で実現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡＮなどの無線技術で実現される。ＬＴＥは、Ｅ−ＵＴＲＡＮを使用する進化はん用移動体通信システム（Ｅ−ＵＭＴＳ）の一部であって、ダウンリンクでＯＦＤＭＡを採用し、アップリンクで単一搬送波周波数分割多元接続（ＳＣ−ＦＤＭＡ）を採用する。高度ＬＴＥ（ＬＴＥ−Ａ）はＬＴＥから進化したものである。
【００７５】
以下、本発明で使用されるダウンリンクリソースとは、ＦＤＤシステムではダウンリンク（ＤＬ）帯域を意味し、ＴＤＤシステムではダウンリンクサブフレームを意味する。また、アップリンクリソースとは、ＦＤＤシステムではアップリンク（ＵＬ）帯域を意味し、ＴＤＤシステムではアップリンクサブフレームを意味する。
【００７６】
図５は本発明の第１実施形態を示す図であり、図６は第１実施形態によって用いることのできるすべてのＨＡＲＱプロセスを示す図である。図７は本発明の第１実施形態によって衝突することなく用いることのできるＨＡＲＱプロセスを示す図である。
【００７７】
図５から分かるように、本発明の第１実施形態においては、基地局２００、例えばｅＮｏｄｅＢと中継器（ＲＮ）３００との間のバックホールデータのためのリンクで、サブフレームの衝突を回避しながらも８ｍｓ周期のＨＡＲＱ方式を適用できるようにする。
【００７８】
このために、本発明の第１実施形態は、サブフレームを移動（ｓｈｉｆｔ）することによって、サブフレームの衝突を回避する。
【００７９】
以下、第１実施形態の方式を具体的に説明する。
【００８０】
まず、基地局２００と中継器（ＲＮ）３００との間に割り当てられたアップリンクのサブフレームを確認する。例えば、割り当てられたサブフレームが８ｍｓ周期であるか否かを確認する。すなわち、中継器から基地局へのバックホールデータの送信周期が８ｍｓであるか否かを確認する。
【００８１】
アップリンクのｎ番目のサブフレームがバックホールデータのために割り当てられた場合、基地局２００と中継器（ＲＮ）３００との間のダウンリンクのｎ＋４番目のサブフレームがＭＢＳＦＮのためのサブフレームに割り当てられているか否かを確認する。
【００８２】
ダウンリンクのｎ＋４番目のサブフレームがＭＢＳＦＮのためのサブフレームに割り当てられている場合（例えば、番号０のサブフレーム、番号４のサブフレーム、番号５のサブフレーム、番号９のサブフレームではない場合）、ｎ＋４に該当するダウンリンクのサブフレームはバックホールデータのために割り当てられる。ｎ＋４番目のサブフレームに該当するダウンリンクのサブフレームで送信されるバックホールデータは、ＡＣＫ／ＮＡＣＫ信号でもよく、アップリンクリソース割り当て要求のＵＬグラントでもよい。ＡＣＫ／ＮＡＣＫ信号は、ｎ番目のサブフレームで中継器が送信したバックホールデータに対するＡＣＫ／ＮＡＣＫ信号でもよい。ＵＬグラントは、ｎ＋８番目のサブフレームに該当するアップリンクのサブフレームで中継器がバックホールデータを送信できることを示すものでもよい。
【００８３】
一方、ダウンリンクのｎ＋４番目のサブフレームがＭＢＳＦＮのためのサブフレームに割り当てられていない場合（例えば、番号０のサブフレーム、番号４のサブフレーム、番号５のサブフレーム、番号９のサブフレームに該当する場合）、ｎ＋５に該当するダウンリンクのサブフレームがＭＢＳＦＮのためのサブフレームに割り当てられているか否かを確認する。ｎ＋５番目のサブフレームに該当するダウンリンクのサブフレームがＭＢＳＦＮのためのサブフレームに割り当てられている場合、ｎ＋５番目のサブフレームは、基地局と中継器との間のバックホールデータのために割り当てることができる。前述と同様に、ｎ＋５に該当するアップリンクのサブフレームで送信されるバックホールデータは、ＡＣＫ／ＮＡＣＫ信号でもよく、アップリンクリソース割り当て要求のＵＬグラントでもよい。
【００８４】
一方、ｎ＋４番目のサブフレーム及びｎ＋５番目のサブフレームがＭＢＳＦＮのためのサブフレームに割り当てられていない場合、ｎ＋３番目のサブフレームをＭＢＳＦＮのために割り当てることができるか否かを判断する。ｎ＋３番目のサブフレームをＭＢＳＦＮのために割り当てることができる場合、ｎ＋３番目のサブフレームは、基地局と中継器との間のバックホールデータのために割り当てることができる。
【００８５】
前述したように、本発明の第１実施形態によれば、中継器は８ｍｓ周期で基地局にデータを送信することができ、かつデータに対する応答、例えばＡＣＫ／ＮＡＣＫ信号又はＵＬグラントのためのサブフレームは動的に移動することができる。
【００８６】
すなわち、図５を参照すると、中継器は、８ｍｓ周期（ｎ＋８周期）、すなわち番号０のフレームの番号５のサブフレーム（ｎ）、番号１のフレームの番号３のサブフレーム（ｎ＋８）、番号２のフレームの番号１のサブフレーム（ｎ＋１６）でデータを送信することができる。しかし、中継器のｎ番目のサブフレームのデータに対応する基地局のデータは、ｎ＋４−１番目のサブフレームに該当する番号８のサブフレームで送信することができる。又は、ｎ＋４＋１番目のサブフレームで送信することができる。
【００８７】
図６から分かるように、基地局２００は、中継器（ＲＮ）３００のバックホールデータに対して、少なくとも１つのサブフレームを割り当てることができる。例えば、図６に示すように、番号３のサブフレームで送信されるバックホールデータに対して、Ａサブフレーム（すなわち、番号８のサブフレーム）（つまり、ｎ＋４＋１）及びＨサブフレーム（すなわち、番号７のサブフレーム）（つまり、ｎ＋４−１）を割り当てることができる。
【００８８】
よって、基地局２００は、番号３のサブフレームで送信されるバックホールデータに対して、Ａサブフレーム及びＨサブフレームを同時に又は順次割り当てることができる。一例として、基地局２００は、ダウンリンクのｎ番目のサブフレームでバックホールデータを送信した場合、まず、Ａサブフレームを割り当て、Ａサブフレームでアップリンクのバックホールデータを受信していない場合、Ｈサブフレームを割り当てる。他の例として、基地局２００は、ダウンリンクのｎ番目のサブフレームでバックホールデータを送信した後、中継器（ＲＮ）３００からアップリンクのバックホールデータを受信した場合、アップリンクのバックホールデータがＡサブフレーム及びＨサブフレームに該当するか否かを判断する。そして、基地局は、受信したアップリンクのバックホールデータがＡサブフレームとＨサブフレームとのいずれに該当するかを判断する。この判断によって、基地局２００は、受信したアップリンクのバックホールデータが、以前に基地局自身の送信したダウンリンクのデータのうちどのデータに対応するかを判断することができる。
【００８９】
一方、図７から分かるように、アップリンクにおいて、偶数番号のサブフレーム（０、２、４、６、．．．）で８ｍｓ周期でバックホールデータが送信される場合、基地局２００は、ダウンリンクにおいて、４つのプロセス（すなわち、Ａ、Ｃ、Ｅ、Ｇ）を互いに衝突することなく動作させることができる。すなわち、１つの中継器に対して、少なくとも４つのプロセスを衝突することなく同時に動作させることができる。
【００９０】
また、図７から分かるように、アップリンクにおいて、奇数番号のサブフレーム（１、３、５、７、．．．）で８ｍｓ周期でバックホールデータが送信される場合、基地局２００は、ダウンリンクにおいて、４つのプロセス（すなわち、Ｂ、Ｄ、Ｆ、Ｈ）を互いに衝突することなく動作させることができる。
【００９１】
一方、前述したように、ｎ＋４−１ ＨＡＲＱ動作（すなわち、ｎ＋３ ＨＡＲＱ動作）を行わせると仮定すると、基地局２００は、アップリンクのｎ番目のサブフレームで中継器（ＲＮ）３００から送信されたバックホールデータを復号できる時間が３ｍｓにすぎない。
【００９２】
例えば、図５のように、中継器（ＲＮ）３００がアップリンクの番号０のフレームの番号５（ｎ＝５）のサブフレームでバックホールデータを送信した場合、基地局２００は、番号８（ｎ＋３＝５＋３）のサブフレームになるまでにバックホールデータを復号し、ＡＣＫ／ＮＡＣＫ信号を送信しなければならない。これと同様に、中継器（ＲＮ）３００がアップリンクの番号２のフレームの番号６のサブフレームでバックホールデータを送信した場合、基地局２００は、番号９のサブフレームになるまでにバックホールデータを復号しなければならない。
【００９３】
このように、基地局２００は、一般的な４ｍｓに比べて１ｍｓ短くなった３ｍｓ内に復号を完了しなければならない。
【００９４】
これは、基地局２００がより速い処理能力を有しなければならないことを意味する。ところが、データの輻輳によって基地局２００が３ｍｓ内に復号を行えない場合、ＡＣＫ／ＮＡＣＫの送信は遅延する。
【００９５】
そこで、本発明においては、基地局２００が３ｍｓ内に復号を行えない場合、ｎ＋３番目のサブフレームに続くバックホールリンクサブフレームのうち、１番目のサブフレーム（すなわち、ｎ＋４、ｎ＋５、・・・のうち、バックホールリンクに割り当てられた１番目のサブフレーム）でＡＣＫ／ＮＡＣＫを送信することもできる。
【００９６】
このようなＡＣＫ／ＮＡＣＫの送信遅延は、同一のプロセスに該当するサブフレームに限られる。例えば、基地局２００は、中継器（ＲＮ）３００のためにＡ、Ｃ、Ｅ、及びＦのＨＡＲＱを動作させる場合、中継器（ＲＮ）３００がＨＡＲＱプロセスＡに該当するアップリンクの番号０のフレームの番号０のサブフレームで送信したバックホールデータに対するＡＣＫ／ＮＡＣＫは、データ復号時間４ｍｓ以降のサブフレームのうち、１番目のＨＡＲＱプロセスＡのダウンリンクサブフレームである番号１のフレームの番号２のサブフレームで送信することができる。
【００９７】
代案として、基地局２００は、中継器（ＲＮ）３００のために複数のＨＡＲＱプロセスを動作させ、ＡＣＫ／ＮＡＣＫの送信を、複数のＨＡＲＱプロセスのうち１番目のＨＡＲＱプロセスで優先的に試みるようにしてもよい。例えば、基地局２００は、中継器（ＲＮ）３００のためにＡ、Ｃ、Ｅ、及びＦのＨＡＲＱを動作させ、Ａ、Ｃ、Ｅ、及びＦのＨＡＲＱのうち、復号時間以降のバックホールデータのために使用できる１番目のサブフレームでＡＣＫ／ＮＡＣＫを送信することができる。
【００９８】
具体的には、中継器（ＲＮ）３００がＨＡＲＱプロセスＡに該当するアップリンクの番号０のフレームの番号０のサブフレームでバックホールデータを基地局２００に送信した場合、基地局２００は、Ａ、Ｃ、Ｅ、及びＦのＨＡＲＱのうち、データ復号時間４ｍｓ以降のサブフレームの中で１番目のダウンリンクサブフレームであるダウンリンクの番号０のフレームの番号６のサブフレーム（ＨＡＲＱプロセスＣに該当する）でＡＣＫ／ＮＡＣＫを送信することができる。すると、中継器（ＲＮ）３００は、番号０のサブフレームでバックホールデータを送信した後、ダウンリンクをモニタする。ここで、ダウンリンクのモニタのために、中継器（ＲＮ）３００は、中継器自身に割り当てられたＨＡＲＱプロセス（Ａ、Ｃ、Ｅ、及びＦ）に関する情報を利用することができる。中継器（ＲＮ）３００は、ＨＡＲＱプロセスに関する情報を利用して、１番目のＨＡＲＱプロセスで優先的にＡＣＫ／ＮＡＣＫの受信を試みる。中継器（ＲＮ）３００は、ＨＡＲＱプロセスに関する情報を利用しない場合、ダウンリンクでＡＣＫ／ＮＡＣＫの受信をモニタし、ＡＣＫ／ＮＡＣＫ信号を受信すると、ＡＣＫ／ＮＡＣＫ信号が中継器自身が送信したバックホールデータのいずれに対するものであるかを判断する。
【００９９】
このような内容は、基地局２００から中継器（ＲＮ）３００へのバックホールデータの送信に対するＡＣＫ／ＮＡＣＫにも適用することができる。
【０１００】
図８は本発明の第２実施形態を示す図であり、図９は第２実施形態によって用いることのできるすべてのＨＡＲＱプロセスを示す図である。
【０１０１】
図８から分かるように、本発明の第２実施形態においては、基地局２００、例えばｅＮｏｄｅＢと中継器（ＲＮ）３００との間のバックホールデータのためのリンクで、バックホールデータのためのサブフレームとＭＢＳＦＮに設定されていないサブフレームとの衝突を回避するために、１０ｍｓ周期のＨＡＲＱ方式を用いる。
【０１０２】
このために、本発明の第２実施形態は、１０ｍｓ周期を利用することによって、中継器（ＲＮ）３００が端末１００に制御情報などの重要情報をより便利に送信できるようにする。特に、１０ｍｓ周期は、現在の３ＧＰＰ Ｅ−ＵＴＲＡシステムにおいて規定されている様々な制御信号の送信周期にも好適である。
【０１０３】
例えば、現在の３ＧＰＰ Ｅ−ＵＴＲＡシステムにおいては、端末１００がスケジュール要求（SR）、チャネル品質情報（CQI）、測定基準信号（Sounding Reference Signal, SRS）などの制御情報を送信すると規定している。ＳＲは、５ｍｓ、１０ｍｓ、２０ｍｓ、４０ｍｓ、８０ｍｓ周期のいずれか１つの周期で送信することができる。また、ＣＱＩは、２ｍｓ、５ｍｓ、１０ｍｓ、２０ｍｓ、４０ｍｓ、８０ｍｓ、１６０ｍｓ周期のいずれか１つの周期で送信することができる。さらに、ＳＲＳは、２ｍｓ、５ｍｓ、１０ｍｓ、２０ｍｓ、４０ｍｓ、８０ｍｓ、１６０ｍｓ、３２０ｍｓ周期のいずれか１つの周期で送信することができる。このように、ほとんどの制御情報が１０ｍｓ周期を共通に有するので、本発明の第２実施形態において１０ｍｓ周期を利用することによって、中継器（ＲＮ）３００がバックホールデータをより容易に送信できるようにする。
【０１０４】
以下、前記１０ｍｓ周期の動作をより具体的に説明する。
【０１０５】
基地局２００は、バックホールデータ（例えば、中継器によるアップリンクリソース要求の許容メッセージ又はＡＣＫ／ＮＡＣＫ信号）をダウンリンクのｎ番目のサブフレームで送信する。
【０１０６】
すると、中継器３００は、ｎ番目のサブフレームで受信したデータに対応するデータ（例えば、ＡＣＫ／ＮＡＣＫ信号を含む）をｎ＋５番目のサブフレームで送信する。
【０１０７】
そして、基地局３００がｎ＋５番目のサブフレームで中継器からのデータを受信すると、受信したデータに対応するデータ（例えば、以前に送信したデータの再送、又はＡＣＫ／ＮＡＣＫ信号若しくはグラントメッセージ）をダウンリンクのｎ＋１０番目のサブフレームで送信する。
【０１０８】
このように、１０ｍｓ周期を５ｍｓ間隔で分けることは、中継器及び基地局が同一の復号時間を有するようにするので、非常に有用である。また、受信したデータの復号に５ｍｓの時間が与えられるため、中継器及び基地局はより円滑に動作することができる。
【０１０９】
より具体的には、図８から分かるように、基地局２００がダウンリンクの番号１のサブフレームでバックホールデータを送信した場合、前記バックホールデータに対応するデータは、アップリンクのｎ＋５番目のサブフレームに該当する番号６のサブフレームで送信することができる。
【０１１０】
一方、図９は前述した第２実施形態によって利用できるＨＡＲＱプロセスを示す図である。前述した第２実施形態によれば、６つのＨＡＲＱプロセスが存在し、前記６つのプロセスは２つのサブセットに分けられる。１番目のサブセットによる３つのプロセス（すなわち、Ａ、Ｃ、Ｅ）は、アップリンクの偶数番号のサブフレームを占める。２番目のサブセットによる３つのプロセス（すなわち、Ｂ、Ｄ、Ｆ）は、奇数番号のサブフレームを占める。
【０１１１】
アップリンクにおいて端末のための８ｍｓ周期のＨＡＲＱ動作との衝突を回避するために、中継器内のバックホールデータのためのプロセスは、前記２つのサブセットのいずれか一方に制限される。例えば、中継器とのバックホールデータのためにアップリンクにおいて偶数番号のサブフレームを割り当てた場合、端末のためにアップリンクにおいて奇数番号のサブフレームを割り当てると、互いに衝突しない。これは、逆の場合も同様である。したがって、中継器は、バックホールデータのための１０ｍｓ周期のＨＡＲＱと端末のための８ｍｓ周期のＨＡＲＱとを衝突することなくどちらも受け入れることができる。
【０１１２】
中継器は、このように中継器が奇数番号又は偶数番号のサブフレームのみを利用できるようにするための制御信号を含むメッセージを、上位層から受信して設定することができる。
【０１１３】
図１０は本発明の第３実施形態を示す図であり、図１１は第３実施形態によって用いることのできるすべてのＨＡＲＱプロセスを示す図である。
【０１１４】
本発明の第３実施形態においては、第２実施形態と同様に、１０ｍｓ周期のＨＡＲＱを用いる。具体的には次の通りである。
【０１１５】
基地局２００は、バックホールデータ（例えば、中継器によるアップリンクリソース要求の許容メッセージ又はＡＣＫ／ＮＡＣＫ信号）をダウンリンクのｎ番目のサブフレーム（例えば、図１０の番号０のフレームの番号１のサブフレーム）で送信する。
【０１１６】
すると、中継器３００は、ｎ番目のサブフレームで受信したデータに対応するデータ（例えば、ＡＣＫ／ＮＡＣＫ信号を含む）をｎ＋６番目のサブフレーム（例えば、図１０の番号０のフレームの番号７のサブフレーム）で送信する。
【０１１７】
そして、基地局３００がｎ＋６番目のサブフレームで中継器からのデータを受信すると、受信したデータに対応するデータ（例えば、以前に送信したデータの再送、又はＡＣＫ／ＮＡＣＫ信号もしくはグラントメッセージ）をダウンリンクのｎ＋１０番目のサブフレーム（番号１のフレームの番号１のサブフレーム）で送信する。
【０１１８】
このように、１０ｍｓ周期を６：４の割合で分けることによって、中継器が６ｍｓの復号時間を有するようにする。一般に、中継器は基地局に比べて性能が低いため、このように中継器がより長い復号時間を有するようにすることは、非常に有用である。このように、中継器が６ｍｓの復号時間を有することによって、より高性能の信号処理装置を備えなくてもよいため、中継器はより安価に製造することができる。
【０１１９】
一方、図１１から分かるように、第３実施形態により利用できるＨＡＲＱプロセスとしては、Ａ、Ｂ、Ｃ、Ｄ、Ｅ、Ｆプロセスがある。
【０１２０】
ところが、このような第３実施形態によれば、６つのプロセスのみを利用できるので、バックホールリソースを最大６０％まで利用するためには、中継器と端末とのリンクの割当てに大きな制約が伴う。これは下記第４実施形態によりさらに改善することができる。
【０１２１】
図１２は本発明の第４実施形態によって用いることのできるすべてのＨＡＲＱプロセスを示す図である。図１３は本発明の第４実施形態によって衝突することなく用いることのできるＨＡＲＱプロセスを示す図である。
【０１２２】
本発明の第４実施形態は、第３実施形態において６つのＨＡＲＱプロセスのみを利用できることを改善するために、１０ｍ周期を有する他のＨＡＲＱプロセスを提案する。具体的には次の通りである。
【０１２３】
基地局２００は、バックホールデータ（例えば、中継器によるアップリンクリソース要求の許容メッセージ又はＡＣＫ／ＮＡＣＫ信号）をダウンリンクのｎ番目のサブフレーム（例えば、図１０の番号０のフレームの番号１のサブフレーム）で送信する。
【０１２４】
すると、中継器３００は、ダウンリンクのｎ番目のサブフレームで受信したデータに対応するデータ（例えば、ＡＣＫ／ＮＡＣＫ信号を含む）をアップリンクのｎ＋ｋ番目のサブフレームで送信する。ここで、ｋは、ｎによって決定される。具体的には、ｋは、下記表１でｎのインデクスによって異なる。すなわち、ｋは、下記表１のように、ｎの値と、偶数番号のサブフレームであるか奇数番号のサブフレームであるかによって決定される。
【０１２５】
基地局２００は、ｎ＋ｋ番目のサブフレームで中継器からのデータを受信すると、受信したデータに対応するデータ（例えば、以前に送信したデータの再送、又はＡＣＫ／ＮＡＣＫ信号若しくはグラントメッセージ）をダウンリンクのｎ＋１０番目のサブフレーム（番号１のフレームの番号１のサブフレーム）で送信する。
【０１２６】
【表１】
0005567601.tif 000002
【０１２７】
上記表１のように、１つのダウンリンクのｎ番目のサブフレームに対して、アップリンクでｎ＋ｋに該当するサブフレームが複数であり得る。
【０１２８】
例えば、基地局２００がダウンリンクの番号１のサブフレームでデータを中継器３００に送信した場合、上記表１を参照すると、ｎが１であると、ｋの値は３又は４である。よって、中継器３００は、受信したデータに対応するデータを、ｎ＋３（アップリンクにおいて偶数番号のサブフレームプロセスの場合）に該当する番号４のサブフレーム、又はｎ＋４（アップリンクにおいて奇数番号のサブフレームプロセスの場合）に該当する番号５のサブフレームで送信することができる。
【０１２９】
中継器３００がＨＡＲＱを偶数番号のサブフレームプロセスで動作させるべきか、奇数番号のサブフレームプロセスで動作させるべきかに関する情報を示すための制御信号は、基地局２００から中継器３００にダウンリンクで受信される。制御信号は制御チャネルで受信される。制御信号は、例えば物理制御チャネル（例えば、中継物理ダウンリンク制御チャネル（Ｒ−ＰＤＣＣＨ））に含まれる。Ｒ−ＰＤＣＣＨは、スケジュール情報を送信するために利用される。スケジュール情報は、識別子、割り当てられた無線リソースの位置（resource assignment）、割り当てられた無線リソースの期間（duration of assignment）、送信パラメータ（例えば、変調方式、ペイロードのサイズ、ＭＩＭＯ関連情報）、リダンダンシバージョン（redundancy version）、新しいデータインジケータ、及びＨＡＲＱプロセス情報のいずれか１つ以上を含む。ＨＡＲＱプロセス情報は、偶数番号であるか奇数番号であるかを含んでもよい。又は、制御情報は、Ｒ−ＰＤＣＣＨのダウンリンク制御チャネル（DL Control channel, CDI）の特定のビットでもよい。
【０１３０】
例えば、中継器３００が０に設定されたビット値を有するＲ−ＰＤＣＣＨを受信した場合、中継器３００は、偶数番号のサブフレームプロセスで動作すべきことを認識することができる。すなわち、中継器３００が偶数番号のサブフレームプロセスを示すために０に設定されたビット値を有するＲ−ＰＤＣＣＨを番号１（ｎ＝１）のサブフレームで受信した場合、中継器３００は、上記表１において、ｎは１であり、偶数番号のサブフレームに該当するｋの値は３であることを確認し、対応するデータを番号４のサブフレームで送信することができる。
【０１３１】
一方、中継器３００が偶数番号のサブフレームプロセスで動作すべきか、奇数番号のサブフレームプロセスで動作すべきかに関する情報は、上位層からの信号によって示されることもある。
【０１３２】
一方、図１２に示す１０個のサブフレームは、端末から中継器３００へのアップリンクにおいて８ｍｓ周期のＨＡＲＱ動作との衝突を回避するために、図１３に示すように２つのサブセットに分けることができる。１番目のサブセットは、アップリンクで偶数番号のサブフレームを占める５つのプロセス（Ａ、Ｃ、Ｅ、Ｇ、Ｉ）である。２番目のサブセットは、アップリンクで奇数番号のサブフレームを占める５つのプロセス（Ｂ、Ｄ、Ｆ、Ｈ、Ｊ）である。
【０１３３】
端末から中継器３００へのアップリンクにおいて８ｍｓ周期のＨＡＲＱ動作との衝突を回避するために、中継器３００と基地局２００との間のバックホールデータは、２つのサブセットのいずれか一方のサブセットのみを利用する。すなわち、端末がアップリンクで奇数番号のサブフレームを利用する場合、中継器３００がアップリンクで偶数番号のサブフレームを利用するようにすると、互いに衝突しない。逆の場合も同様である。
【０１３４】
このように、中継器３００は、どのサブセットを利用するかを、上位層の制御情報によって設定することができる。
【０１３５】
一方、上記表１、図１２及び図１３から分かるように、アップリンクのサブフレームとダウンリンクのサブフレームとの間には、３つの異なる時間間隔（すなわち、３ｍｓ、４ｍｓ、５ｍｓ）が存在する。すなわち、６つのプロセス（Ａ、Ｂ、Ｃ、Ｅ、Ｇ、Ｈプロセス）は４ｍｓ間隔を有し、２つのプロセス（Ｄ、Ｉプロセス）は５ｍｓ間隔を有し、２つのプロセス（Ｆ、Ｊプロセス）は３ｍｓ間隔を有する。
【０１３６】
ところが、前述したように、３ｍｓ間隔はデータの復号が十分に行えないことがある。特に、中継器３００のプロセス性能が十分でないか、送受信されるデータが多い場合、３ｍｓ間隔ではデータの復号が十分に行えないことがある。したがって、３ｍｓ間隔のプロセスを利用しないことが好ましい。
【０１３７】
３ｍｓ間隔を有する２つのプロセス（すなわち、Ｆ、Ｊプロセス）を利用しない場合、上記表１は下記表２のように変形することができる。
【０１３８】
【表２】
0005567601.tif 000003
【０１３９】
上記表２においては、計８個のプロセスが示されている。８個のプロセスは制御信号において３ビットで示すことができるので、１０個のプロセスを示すのに必要な４ビットに比べて１ビット減らすことができ、制御信号のオーバーヘッドを低減することができる。
【０１４０】
図１４は本発明の第５実施形態によって衝突することなく用いることのできるＨＡＲＱプロセスを示す図である。
【０１４１】
本発明の第５実施形態においては、図８に示すように、バックホールデータのためのＨＡＲＱで１０ｍｓ周期を利用し、かつアップリンクのサブフレームとダウンリンクのサブフレームとの間に最小４ｍｓ、最大６ｍｓの間隔を有するようにする。このように、最大６ｍｓの間隔を有するようにすることにより、中継器３００は十分な復号時間を確保することができる。
【０１４２】
具体的に説明すると次の通りである。
【０１４３】
基地局２００は、バックホールデータ（例えば、中継器によるアップリンクリソース要求の許容メッセージ又はＡＣＫ／ＮＡＣＫ信号）をダウンリンクのｎ番目のサブフレーム（例えば、図１０の番号０のフレームの番号１のサブフレーム）で送信する。
【０１４４】
すると、中継器３００は、前記ダウンリンクのｎ番目のサブフレームで受信したデータに対応するデータ（例えば、ＡＣＫ／ＮＡＣＫ信号を含む）をアップリンクのｎ＋ｋ番目のサブフレームで送信する。ここで、ｋは、下記表３において、ｎの値と、偶数であるか奇数であるかによって決定される。
【０１４５】
【表３】
0005567601.tif 000004
【０１４６】
例えば、基地局２００がダウンリンクの番号２のサブフレームでデータを中継器３００に送信した場合、上記表３を参照すると、ｎが２であると、ｋの値は４又は５である。よって、中継器３００は、受信したデータに対応するデータを、ｎ＋４（アップリンクにおいて偶数番号のサブフレームプロセスの場合）に該当する番号６のサブフレーム、又はｎ＋５（アップリンクにおいて奇数番号のサブフレームプロセスの場合）に該当する番号７のサブフレームで送信することができる。
【０１４７】
中継器３００が偶数番号のサブフレームプロセス（図１４のＢプロセス）で動作すべきか、奇数番号のサブフレームプロセス（図１４のＣプロセス）で動作すべきかに関する情報を示すための制御信号は、基地局２００から中継器３００にダウンリンクで受信される。
【０１４８】
一方、中継器３００が偶数番号のサブフレームプロセスで動作すべきか、奇数番号のサブフレームプロセスで動作すべきかに関する情報は、上位層によって設定されて示されることもある。
【０１４９】
このように、偶数番号のサブフレームと奇数番号のサブフレームとのいずれか一方のみを利用することによって、端末のためのＨＡＲＱとバックホールデータのためのＨＡＲＱとを衝突することなく動作させることができる。
【０１５０】
図１５は本発明の第６実施形態によって衝突することなく用いることのできるＨＡＲＱプロセスを示す図である。
【０１５１】
本発明の第６実施形態においては、図１４に示す第５実施形態と同様に、アップリンクのサブフレームとダウンリンクのサブフレームとの間に最小４ｍｓ、最大６ｍｓの間隔を有するようにする。
【０１５２】
本発明の第６実施形態によれば、ｋは、ｎの値と下記表４によって決定される。
【０１５３】
【表４】
0005567601.tif 000005
【０１５４】
例えば、基地局２００がダウンリンクの番号２のサブフレームでデータを中継器３００に送信した場合、上記表４を参照すると、ｎが２であると、ｋの値は５又は６である。よって、中継器３００は、受信したデータに対応するデータを、ｎ＋５（アップリンクにおいて奇数番号のサブフレームプロセスの場合）に該当する番号７のサブフレーム、又はｎ＋６（アップリンクにおいて偶数番号のサブフレームプロセスの場合）に該当する番号８のサブフレームで送信することができる。
【０１５５】
中継器３００が偶数番号のサブフレームプロセス（図１５のＣプロセス）で動作すべきか、奇数番号のサブフレームプロセス（図１５のＤプロセス）で動作すべきかに関する情報を示すための制御信号は、基地局２００から中継器３００にダウンリンクで受信される。
【０１５６】
一方、中継器３００が偶数番号のサブフレームプロセスで動作すべきか、奇数番号のサブフレームプロセスで動作すべきかに関する情報は、上位層によって設定されて示されることもある。
【０１５７】
図１６は本発明の第７実施形態によって衝突することなく用いることのできるＨＡＲＱプロセスを示す図である。
【０１５８】
本発明の第７実施形態においては、図１４に示す第５実施形態及び図１５に示す第６実施形態と同様に、アップリンクのサブフレームとダウンリンクのサブフレーム間に最小４ｍｓ、最大６ｍｓの間隔を有するようにする。
【０１５９】
本発明の第７実施形態によれば、ｋは、ｎの値と下記表５によって決定される。
【０１６０】
【表５】
0005567601.tif 000006
【０１６１】
例えば、基地局２００がダウンリンクの番号３のサブフレームでデータを中継器３００に送信した場合、上記表５を参照すると、ｎが３であると、ｋの値は５又は６である。よって、中継器３００は、受信したデータに対応するデータを、ｎ＋５（アップリンクにおいて偶数番号のサブフレームプロセスの場合）に該当する番号８のサブフレーム、又はｎ＋６（アップリンクにおいて奇数番号のサブフレームプロセスの場合）に該当する番号９のサブフレームで送信することができる。
【０１６２】
中継器３００が偶数番号のサブフレームプロセス（図１６のＤプロセス）で動作すべきか、奇数番号のサブフレームプロセス（図１６のＥプロセス）で動作すべきかに関する情報を示すための制御信号は、基地局２００から中継器３００にダウンリンクで受信される。
【０１６３】
一方、中継器３００が偶数番号のサブフレームプロセスで動作すべきか、奇数番号のサブフレームプロセスで動作すべきかに関する情報は、上位層によって設定されて示されることもある。
【０１６４】
前述した本発明の実施形態は組み合わせが可能である。例えば、第１実施形態と第２実施形態とを組み合わせることができる。あるいは、第２実施形態と第３実施形態とを組み合わせることができる。ただし、本発明の組合せは開示された例に限定されるものではなく、本発明の実施形態を様々に組み合わせることができる。
【０１６５】
前述した本発明による方法は、ソフトウェア、ハードウェア、又はそれらの組合せとして実現してもよい。例えば、本発明による方法は、記憶媒体（例えば、揮発性メモリ、不揮発性メモリ（例えば、フラッシュメモリ）、ハードディスクなど）に保存することができ、プロセッサにより実行されるソフトウェアプログラム内のコード又はコマンドによって実現することができる。
【０１６６】
以上、本発明の好ましい実施形態を例に説明したが、本発明の範囲はこれらの特定の実施形態に限定されるものではないので、本発明は本発明の思想及び請求の範囲に記載された範疇内において様々な形態に修正、変更又は改善することができる。
【図１】
0005567601.tif 000009
【図２】
0005567601.tif 000010
【図３】
0005567601.tif 000011
【図４】
0005567601.tif 000012
【図５】
0005567601.tif 000013
【図６】
0005567601.tif 000014
【図７】
0005567601.tif 000015
【図８】
0005567601.tif 000016
【図９】
0005567601.tif 000017
【図１０】
0005567601.tif 000018
【図１１】
0005567601.tif 000019
【図１２】
0005567601.tif 000020
【図１３】
0005567601.tif 000021
【図１４】
0005567601.tif 000022
【図１５】
0005567601.tif 000023
【図１６】
0005567601.tif 000024